(57)【要約】      （修正有）【課題】提灯全体として統一感を与え、美観も優れる提灯を提供する。【解決手段】この提灯１００は、光源を備える基部１５０と、当該光源を囲むように配置され、任意に設ける図柄１１０が付された火袋１２０とからなる。この火袋１２０の上端と下端には、それぞれ上輪１３０と下輪１４０が取り付けられている。また、基部１５０には電源コードＣが接続されており、この電源コードＣの先端のプラグを家庭用コンセント等に接続すれば、電力が供給されて、光源が点灯する。また、火袋１２０は、透光性を有する紙製の素材から構成されているので、火袋１２０の内側で点灯している光源の光が、火袋１２０を介して周囲に拡散され、提灯１００周辺の空間が柔らかい光で照らされる。【選択図】図１
0003198710.tif 000002
【実用新案登録請求の範囲】
【請求項１】
光源を備える基部と、
当該光源を囲むように配置される火袋とを備えた提灯であって、
前記火袋を構成する紙製の素材と統一感を持たせるために、
前記基部の表面を、紙製の素材で構成したことを特徴とする提灯。
【請求項２】
前記火袋は、上輪及び下輪を備え、
当該上輪及び下輪の表面も、紙製の素材で構成したことを特徴とする請求項１に記載の提灯。
【考案の詳細な説明】
【技術分野】
【０００１】
本考案は、お盆用、納涼用、装飾用、照明用等に使用される提灯に関する。
【背景技術】
【０００２】
従来から、提灯には、吊り下げ式の提灯や自立式の提灯等があるが、いずれも、電球やＬＥＤ等の光源を備える基部と、当該光源を囲むように配置される火袋とからなる。基部は、電球やＬＥＤ等に電力を供給する電源や制御装置等を内蔵するため、ある程度の強度を有する筐体として形成されており、その素材としては、プラスチック等の合成樹脂や、木材等が採用されている。一方、火袋は、内側の光源からの光を周囲に拡散させて照らすために、紙製の素材を採用している。
【０００３】
また、近年、日本の伝統工芸品である和紙が、世界から注目され、例えば、本美濃紙等がユネスコ無形文化遺産に登録されている。そして、提灯の火袋にも、和紙等が採用されており、提灯の工芸品としての価値がより一層高まっている。
【０００４】
ただ、従来の提灯では、火袋は紙製の素材により構成されているものの、その他の部分、例えば光源を備える基部等は、プラスチックや木材等で構成されているので、提灯全体としては統一感がなく、美観に劣るものであった。
【考案の概要】
【考案が解決しようとする課題】
【０００５】
そこで、本考案は、上記問題に鑑み、提灯全体として統一感を与え、美観も優れる提灯を提供するものである。
【課題を解決するための手段】
【０００６】
上記課題を解決するために、本考案の提灯は、光源を備える基部と、当該光源を囲むように配置される火袋とを備えた提灯であって、前記火袋を構成する紙製の素材と統一感を持たせるために、前記基部の表面を、紙製の素材で構成したことを特徴とする。
【０００７】
当該特徴によれば、使用者は提灯を見た際に、提灯全体が紙製の素材で出来ているような統一感及び美観を感じることができる。
【０００８】
さらに、本考案の提灯は、前記火袋は、上輪及び下輪を備え、当該上輪及び下輪の表面も、紙製の素材で構成したことを特徴とする。
【０００９】
当該特徴によれば、火袋の補強のために、上輪及び下輪を備えた場合であっても、提灯全体が、紙製の素材で出来ているような統一感及び美観を損なうことはない。
【考案の効果】
【００１０】
上記の本考案によれば、提灯全体として統一感を与え、美観も優れる提灯を提供できる。
【図面の簡単な説明】
【００１１】
【図１】本考案の提灯の全体斜視図である。
【図２】（ａ）は、本考案の提灯の基部の全体斜視図、（ｂ）は、当該基部の平面図である。
【図３】（ａ）は、本考案の提灯の火袋の全体斜視図、（ｂ）は、当該火袋の平面図である。
【符号の説明】
【００１２】
１００    提灯
１２０    火袋
１５０    基部
Ｌ        光源
【考案を実施するための形態】
【００１３】
以下に、本考案の実施の形態について、図面を用いて説明する。なお、以下の説明において参照する各図の形状は、好適な形状寸法を説明する上での概念図又は概略図であり、寸法比率等は実際の寸法比率とは必ずしも一致しない。つまり、本考案は、図面における寸法比率に限定されるものではない。
【００１４】
図１は、本考案の提灯１００の全体斜視図である。この提灯１００は、光源Ｌを備える基部１５０と、当該光源Ｌを囲むように配置され、図柄１１０が付された火袋１２０とからなる（なお、図柄１１０は任意に設けるものである。）。この火袋１２０の上端と下端には、それぞれ上輪１３０と下輪１４０が取り付けられている。また、基部１５０には電源コードＣが接続されており、この電源コードＣの先端のプラグを家庭用コンセント等に接続すれば、電力が供給されて、光源Ｌが点灯する。
【００１５】
また、火袋１２０は、透光性（光を通す性質）を有する紙製の素材から構成されているので、火袋１２０の内側で点灯している光源Ｌの光が、火袋１２０を介して周囲に拡散され、提灯１００周辺の空間が柔らかい光で照らされる。
【００１６】
さらに、本考案の提灯１００では、火袋１２０のみならず、上輪１３０、下輪１４０、及び基部１５０も紙製の素材から構成されている。そのため、使用者が提灯１００を見た際に、提灯１００全体が、紙製の素材で出来ているような統一感及び美観を感じることができる。なお、本考案における紙製の素材とは、和紙、合成紙、及びこれらを組成成分として含むシート状の素材のことである。また、図面上では、表現の制約上、色彩や質感を表現することが出来ないが、提灯１００全体が紙製の素材で出来ているので、使用者には、色彩や質感等が提灯１００全体で統一された感覚を与えている。
【００１７】
では次に、図２及び図３を参照して、提灯１００の各構成部材について詳しく説明する。
【００１８】
まず、図２には、提灯１００の基部１５０を示す。この基部１５０は、大きさが異なる２つの円柱を重ねた形状をしており、下部側面１５１、段部底面１５２、段部側面１５３、及び上端面１５４からなる。そして、上端面１５４から突出するように光源Ｌが取り付けられている。この光源Ｌは、電球やＬＥＤ等を適宜採用することができる。
【００１９】
また、この基部１５０は中空状になっており、その内部に、光源Ｌを点灯させるための制御装置等を備える。さらに、この制御装置は、電源コードＣに電気的に接続され、家庭用コンセント等から電力を光源Ｌに供給する。
【００２０】
この基部１５０は、従来と同様に、プラスチック等の合成樹脂又は木材等で形成している。そして、下部側面１５１、段部底面１５２、及び上端面１５４の表面に、紙製の素材を貼り付けている。また、後述する火袋１２０を、段部側面１５３に嵌め込んで取り付けるため、段部側面１５３の外径は、火袋１２０の内径より僅かに小さくなっている。
【００２１】
なお、火袋１２０を基部１５０に取り付けた際に、下部側面１５１と段部底面１５２の表面は、火袋１２０に隠れずに外部に露出する箇所であり、当該部分を紙製の素材で構成することで、使用者に統一感及び美感を感じさせることができる。その一方で、上端面１５４の表面は、火袋１２０に囲まれて、外部からは見えにくい部分であるが、当該部分も紙製の素材で構成している。なぜならば、光源Ｌの光の一部は、上端面１５４で反射する事になるので、その反射光はより柔らかい光として周囲に拡散され、また、使用者からは見えにくい部分の上端面１５４まで、丁寧に作り上げることで、工芸品としての価値が上がるからである。
【００２２】
次に、図３に、提灯１００の火袋１２０を示す。この火袋１２０は、透光性（光を通す性質）を有する合成樹脂を筒状に形成し、その外表面に紙製の素材を貼り付けて構成したものである。この火袋１２０は、使用者の目に最も触れる部分であると共に、光源Ｌからの光を周囲に拡散する部分でもあるので、和紙等の高価で上質な素材を貼り付けてもよい。
【００２３】
また、火袋１２０の上端には上輪１３０が、火袋１２０の下端には下輪１４０が取り付けられている。この上輪１３０及び下輪１４０は、火袋１２０の形状を維持する補助部材であり、従来から、火袋１２０よりも強度がある素材、例えばプラスチック等の合成樹脂又は木材等でリング状に形成されている。
【００２４】
そして、本考案では、提灯１００の全体としての統一感を生み出すために、上輪１３０及び下輪１４０の表面にも、紙製の素材を貼り付けている。なお、下輪１４０の内径は、図２に示す段部側面１５３の外径よりも僅かに広いので、図１に示すように、火袋１２０を基部１５０の段部側面１５３に嵌め込むように、取り付けることができる。
【００２５】
なお、図３では、火袋１２０の上端と下端に、上輪１３０及び下輪１４０を取り付けているが、これは必要に応じて取り付けるものである。したがって、火袋１２０のみを基部１５０に取り付けて構成した提灯１００も本考案に含まれる。また、火袋１２０は筒状であったが、これに限定される事は無く、適宜任意の形状を採用してもよい。さらに、提灯１００は自立式であったが、吊り下げ式に適用することもできる。
【００２６】
なお、本考案の提灯は、上記の実施例に限定されず、実用新案登録請求の範囲に記載された範囲、実施形態の範囲で、種々の変形例、組み合わせが可能であり、これらの変形例、組み合わせも本考案の範囲に含むものである。
【図１】
0003198710.tif 000003
【図２】
0003198710.tif 000004
【図３】
0003198710.tif 000005